(57)【要約】      （修正有）【課題】差込口の内部に設けられている金属製の導体を保護可能であって、作業性の良いコンセントキャップを提供する。【解決手段】複数の差込口７を有するボディ１１の周囲に隙間１０が形成されたコンセント５に取り付けられるコンセントキャップ３０であって、複数の差込口７閉塞するための絶縁材料で構成された本体３１を備え、本体３１は、差込口７を閉塞する基体３３と、基体３３の裏面に延出して形成され隙間１０に挿入される挿入体３５と、を備えている。【選択図】図３
2018006208.tif 000002
【特許請求の範囲】
【請求項１】
複数の差込口を有するボディの周囲に隙間が形成されたコンセントに取り付けられるコンセントキャップであって、
複数の前記差込口を閉塞するための絶縁材料で構成された本体を備え、
前記本体は、
前記差込口を閉塞する基体と、前記基体の裏面に延出して形成され前記隙間に挿入される挿入体と、を備えていることを特徴とするコンセントキャップ。
【請求項２】
前記基体の表面には、前記コンセントに対して前記コンセントキャップを抜き差しするための取っ手が形成されていることを特徴とする請求項１に記載のコンセントキャップ。
【請求項３】
前記基体は、前記コンセントの隙間を閉塞することを特徴とする請求項１、又は請求項２に記載のコンセントキャップ。
【請求項４】
前記挿入体は、前記ボディの周囲を囲むことを特徴とする請求項１乃至３のいずれか一項に記載のコンセントキャップ。
【請求項５】
前記挿入体の内壁面の表面には、凹凸面が形成されていることを特徴とする請求項１乃至４のいずれか一項に記載のコンセントキャップ。
【請求項６】
前記挿入体の内壁面又はボディの外壁面は、テーパ状に形成され、前記コンセントに対して前記コンセントキャップを差し込む際に徐々にその摺動抵抗が高まることを特徴とする請求項１乃至５のいずれか一項に記載のコンセントキャップ。
【発明の詳細な説明】
【技術分野】
【０００１】
本発明はコンセントの差込口を覆うコンセントキャップに関する。
【背景技術】
【０００２】
例えば、建物の室内や外部にはコンセントが設置されている。このようなコンセントには、プラグを挿入するための差込口が露出しており、この差込口に金属製のピン等が挿入されると感電して危険であるとともに異物が挿入されると故障の要因となる。
【０００３】
また、長期にわたって不使用の場合、差込口近傍に塵や埃が付着して、使用時に接触不良を起こし故障の要因となる。
【０００４】
このような事情に鑑み、コンセントの差込口を覆うコンセントキャップが従来から知られている（特許文献１参照）。
【０００５】
特許文献１に示すコンセントキャップは、差込口を覆う平板と、その平板の裏側に延出し差込孔に挿入される一対の脚と、を備え、平板には、コンセントキャップ抜出用工具を挿入するための溝が形成されている。
【０００６】
また、コンセントには様々な形態が存在し、他のコンセントの一例として、コンセントの差込口の周囲に取り外し用の溝が形成されたコンセントが知られている。
【先行技術文献】
【特許文献】
【０００７】
【特許文献１】実公平７−５３２５５号公報
【発明の開示】
【発明が解決しようとする課題】
【０００８】
しかしながら、上述した特許文献１に示すコンセントキャップは、コンセントから取り外す際に、溝に工具を差し込む必要があり作業性が悪い。
【０００９】
また、上述したコンセントキャップを他の形態のコンセントに用いた場合、差込口の内部に設けられている金属製の導体が脚により常時広がった状態となるため、経年劣化により変形し、差込プラグを用いる際に接触不良を起こす可能性がある。
【００１０】
そこで、本発明は上記問題を課題の一例として為されたもので、コンセントの差込口の周囲に溝が形成されたコンセントに用いられ、差込口の内部に設けられている金属製の導体を保護可能であって、作業性の良いコンセントキャップを提供することを目的とする。
【課題を解決するための手段】
【００１１】
上記課題を解決するために、請求項１に記載のコンセントキャップ（５）は、複数の差込口（７）を有するボディ（１１）の周囲に隙間（１０）が形成されたコンセント（５）に取り付けられるコンセントキャップ（１０）であって、複数の前記差込口を閉塞するための絶縁材料で構成された本体（３１）を備え、前記本体は、前記差込口を閉塞する基体（３３）と、前記基体の裏面に延出して形成され前記隙間に挿入される挿入体（３５）と、を備えていることを特徴とする。
【００１２】
また、請求項２に記載のコンセントキャップは、請求項１に記載のコンセントキャップにおいて、前記基体の表面には、前記コンセントに対して前記コンセントキャップを抜き差しするための取っ手（３８）が形成されていることを特徴とする。
【００１３】
また、請求項３に記載のコンセントキャップは、請求項１、又は請求項２に記載のコンセントキャップにおいて、前記基体は、前記コンセントの隙間を閉塞することを特徴とする。
【００１４】
また、請求項４に記載のコンセントキャップは、請求項１乃至３のいずれか一項に記載のコンセントキャップにおいて、前記挿入体は、前記ボディの周囲を囲むことを特徴とする。
【００１５】
また、請求項５に記載のコンセントキャップは、請求項１乃至４のいずれか一項に記載のコンセントキャップにおいて、前記挿入体の内壁面の表面には、凹凸面（４５）が形成されていることを特徴とする。
【００１６】
また、請求項６に記載のコンセントキャップは、請求項１乃至５のいずれか一項に記載のコンセントキャップにおいて、前記挿入体の内壁面又はボディの外壁面は、テーパ状に形成され、前記コンセントに対して前記コンセントキャップを差し込む際に徐々にその摺動抵抗が高まることを特徴とする。
【発明の効果】
【００１７】
本発明によれば、外部からの塵や埃の進入を完全に防止することができるので、コンセントの挿入孔内に設けられている金属製の刃受を保護できる。また、簡単に抜き差し可能であるため、作業性が良く、作業者の負担を軽減することができる。
【図面の簡単な説明】
【００１８】
【図１】コンセントの取付例を示す模式図である。
【図２】コンセントの構成例を示し図２（ａ）は側面図、図２（ｂ）は平面図である。
【図３】コンセントキャップの取付例を示す模式図である。
【図４】コンセントキャップの外観例を示し、図４（ａ）は正面図、図４（ｂ）は側面図である。
【図５】コンセントキャップの他の実施形態を示す模式図である。
【図６】コンセントキャップの他の実施形態を示す模式図である。
【発明を実施するための形態】
【００１９】
以下、本願の最良の実施形態について添付図面を参照して説明する。
【００２０】
本実施形態のコンセントキャップ３０は、例えば、サーバーラック等の壁面に設置されるコンセント５に取り付けられ（図１）、コンセント５は、開口２が形成された壁面に固定して取り付けられる。なお、このコンセント５には、通常、図示しない差込プラグが接続され、差込プラグが差し込まれるまでの間、本実施形態のコンセントキャップ３０が取り付けられる。
【００２１】
まず、コンセントキャップ３０を取り付けるコンセント５について図１乃至図３を用いて説明する。
【００２２】
コンセント５は、前方が開口した略箱状の本体６を備え、この本体６は合成樹脂などの絶縁材料で形成される。この本体６は、差込プラグの電極ピンを受け入れる差込口７が形成された内側本体８と、その内側本体８の周囲を囲むようにして設けられる外側本体９と、を備えている。内側本体８と外側本体９は、内側本体８の周囲に差込口７の挿入方向に延びて形成される所定の隙間（以下、「溝１０」と称する。）を有して一体的に形成されている。
【００２３】
外側本体９の前方端部には、開口２に係合されるフランジ部９ａが形成され、このフランジ部９ａ後方の外側本体９の外周面上下には、その左右両側に外方に突出し弾性変形可能な突起９ｂを有する。そして、コンセントキャップ３０は、図３に示すように、外側本体９のフランジ部９ａによって開口２に係止され、突起９ｂが弾性変形することによって、開口２の外周端部を周方向に押圧することで開口２に固定される。
【００２４】
内側本体８は、基端側から前方に突出する外壁を有するボディ１１を備え、このボディ１１には、差込プラグが着脱自在に接続される。
【００２５】
ボディ１１には、ボディ１１の前面と後面（基端側）とを貫通する略四角形状の３個の挿入孔１２ａを有するプラグ受け部１２が形成されている。プラグ受け部１２の基端側内部には、差込プラグの電極ピンを嵌合する金属製の刃受１３が取り付けられている。なお、この挿入孔１２ａは、差込プラグの電極ピンの数量及び位置に応じて配置が適宜決定される。
【００２６】
また、刃受１３には、後面側に露出して延出する電源端子１４が一体的に設けられており、所定の給電線（図示せず）がこの電源端子１４に接続される。
【００２７】
なお、図示しないが、差込プラグは、例えば、コンセント５に有する３個の挿入孔１２ａに対応する電極ピンが前方に突出し、その電極ピンの周囲を囲むようにして周壁が突設されている。そして、この電極ピンが挿入孔１２ａに差し込まれ、刃受１３に電気的且つ機械的に接続され、周壁が内側本体８の周囲に有する溝１０内に挿入されることで、差込プラグはコンセント５に取付可能である。
【００２８】
次に、本実施形態のコンセントキャップ３０について図３及び図４を用いて説明する。
【００２９】
コンセントキャップ３０は、合成樹脂等の絶縁材料で構成された本体３１を備え、この本体３１は、平板状の基体３３と、この基体３３の平坦面から後方に延出し、ボディ１１の周囲を囲む枠体３５（本願の挿入体）と、を備えている。
【００３０】
基体３３は、少なくともコンセント５の差込口７を閉塞する大きさを有し、好適には、本実施形態のコンセントキャップ３０に示すように、コンセント５の差込口７を閉塞するとともにコンセント５に形成された溝１０を閉塞する大きさを有している。
【００３１】
また、基体３１の表面には、前方に突出する略水平であって一直線状に形成された突出体３８を備え、この突出体３８は、コンセントキャップ３０をコンセント５に対して抜き差しする際の取っ手として機能する。
【００３２】
このように構成されたコンセントキャップ３０は、図３（ｂ）に示すように、枠体３５がコンセント５の溝１０に挿入され、基体３３がコンセント５の差込口７を閉塞するようにしてコンセント５に取り付けられる。
【００３３】
なお、突出体３８は、基体３３の表面から前方側に突出していればその形状はどのような形態でもよく、本実施形態の形状に限定されるものではない。
【００３４】
また、好適には、基体３３の裏面は、ボディ１１の前端面に応じて例えば平坦面状に形成され、枠体３５の内側形状は、ボディ１１の外側形状に合わせて形成される。
【００３５】
また、基体３３の外形は、外側本体９の前端部外径に合わせて好適には形成されるが、少なくともコンセント５の内側本体８と外側本体９の間の溝１０を塞ぐことができればよい。
【００３６】
次に、コンセントキャップ３０の使用例について図３を用いて説明する。
【００３７】
コンセントキャップ３０は、コンセント５に差込プラグが取り付けられていない状態で用いられるものである。
【００３８】
コンセントキャップ３０をコンセント５に取り付ける場合には、突出体３８を把持してコンセントキャップ３０の枠体３５をコンセント５の内側本体８の周囲に形成されている溝１０の位置に合わせて近づけ、コンセントキャップ３０の枠体３５をコンセント５の溝１０の内部に挿入し、基体３３がコンセント５の内側本体８の前端面に接触するまで押し込みコンセントキャップ３０をコンセントに取り付ける。
【００３９】
このようにしてコンセントキャップ３０が取り付けられたコンセント５は、基体３３の裏面外周部によって溝１０の開口が塞がれ、この溝１０には、枠体３５が挿入され、差込口７は基体３３の裏面で塞がれるため、外部からの塵や埃の進入を完全に防止することができる。
【００４０】
また、従来から知られているコンセントキャップのように、差込口７にこの差込口７を塞ぐための脚を挿入しないため、脚を挿入することによる刃受１３の劣化を防止することができる。
【００４１】
また、コンセント５からコンセントキャップ３０を引き抜く際には、突出体３８を把持して手前側に引っ張ることで、コンセントキャップ３０の枠体３５がコンセント５の溝１０から簡単に外部に取り出せるため、容易にコンセントキャップ３０をコンセント５から取り外すことができる。
【００４２】
このようにコンセントキャップ１０は、外部からの塵や埃の進入を完全に防止することができるので、コンセントの挿入孔内に設けられている金属製の刃受を保護できる。また、コンセント５に対して簡単に抜き差し可能であるため、作業性が良く、作業者の負担を軽減することができる。
【００４３】
また、図５に示すように、コンセントキャップ３０の枠体３５の内壁面３５ａを所定の角度α傾斜するテーパ状に形成し、枠体３５の差し込み時において、互いの面が摺動し、徐々にその摺動抵抗が高まるようにすることが好ましい。なお、コンセントキャップ３０の枠体３５の内壁面を水平に形成し、コンセント５の内側本体８の外壁面をテーパ状に形成しても構わない。
【００４４】
このようにすれば、コンセントキャップ３０の枠体３５とコンセント５の内側本体８の外壁面との密着力が高まり、コンセント５にコンセントキャップ３０を取り付けた際の密着力を容易に高めることが可能である。
【００４５】
また、コンセントキャップ３０の枠体３５の内壁面３５ａの表面には、図６に示すように、挿入方向に凹凸面４５を形成するようにしても構わない。このようにすれば、コンセントキャップ３０の枠体３５とコンセント５の内側本体８の外壁との擦動抵抗を容易に高めることが可能であり、コンセントキャップ３０の密着力を容易に高めることが可能である。
【００４６】
なお、コンセントキャップ３０の枠体３５の外壁面にも凹凸面４５を形成しても構わない。このようにすれば、コンセントキャップ３０の枠体３５と外側本体９の内壁との擦動抵抗を容易に高めることが可能であり、コンセントキャップ３０の密着力を容易に高めることが可能である。
【００４７】
なお、本実施形態のコンセントキャップ３０は、３Ｄプリンタによって製作される。３Ｄプリンタによれば、樹脂を堆積して形成するため、枠体３５の外壁面及び内壁面の双方に凹凸面４５を形成することが容易に可能である。
【００４８】
また、図示しないが、本実施形態のコンセントキャップ３０の枠体３５は、コンセント５の内側本体８のボディ１１を取り囲むように形成したが、このボディ１１の上下、又は左右を挟持するように、上下又は左右一対の壁体を基体３１に設けるようにしてもよい。
【００４９】
なお、本願は本実施形態に限定されるものではなく、種々の形態にて実施することが可能である。例えば、本実施形態では、外側本体の前端面をフランジ状に形成しているが特にこの形状に限定されるものではない。また、コンセントに形成される挿入孔１２ａは、差し込まれる電極ピンの形状によって適宜設計されるものであって特に四角形状に限定されるものではない。
【符号の説明】
【００５０】
５  コンセント
７  差込口
１０  コンセントキャップ
１１  ボディ
３１  本体
３３  基体
３５  枠体
３８  突出体
４５  凹凸面
【図１】
2018006208.tif 000003
【図２】
2018006208.tif 000004
【図３】
2018006208.tif 000005
【図４】
2018006208.tif 000006
【図５】
2018006208.tif 000007
【図６】
2018006208.tif 000008